(57)【要約】      （修正有）【課題】出席者が記念や思い出の品として保存可能である共に、出席者が持ち帰り易く、また、行事に掛かる費用を削減する。【解決手段】行事の出席者の席が分かるように設置される席札１であって、行事の主催者に関連したコンテンツを格納したＣＤと、ＣＤを収納するＣＤケース３と、表面が外側から視認可能なようにＣＤケース３内に収納されるＣＤジャケット４とを備え、ＣＤジャケット４の表面には、少なくとも行事への出席者の名前が表示されていることを特徴とする。【選択図】図１
0003132943.tif 000002
【実用新案登録請求の範囲】
【請求項１】
行事の出席者の席が分かるように設置される席札であって、
前記行事の主催者に関連したコンテンツを格納した光ディスクと、
該光ディスクを収納する光ディスク収納ケースと、
表面が外側から視認可能なように前記光ディスク収納ケース内に前記光ディスクと共に収納されるジャケットと、
を備え、該ジャケットの表面には、少なくとも前記行事への出席者の名前が表示されていることを特徴とする席札。
【請求項２】
前記ジャケットの裏面には、前記主催者のプロフィールと、前記主催者からのメッセージと、前記行事のプログラムと、前記行事の間に提供される料理のメニューと、前記行事の間に演奏される楽曲のリストのうちの少なくともいずれか１つが表示されている請求項１に記載の席札。
【考案の詳細な説明】
【技術分野】
【０００１】
本考案は、結婚披露宴や記念パーティやその他各種会合などの行事の出席者の席が分かるように設置される席札に関するものである。
【背景技術】
【０００２】
従来、結婚披露宴やパーティなどの行事では、出席者の席が分かるようにテーブル上に席札が置かれている。この種の一般的な席札は、その席に着座する出席者の名前を厚紙に記載したものであり、出席者が着席した後は、不要になるため、廃棄処分されるのが通常であった。
【０００３】
これに対して、出席者が行事終了後でも廃棄せずに記念や思い出の品として保存可能な席札として、例えば、表面中央に出席者の名前を記入する欄を設けた鏡と、該鏡を支える台座からなる席札などが提案されている（例えば、特許文献１参照）。
【特許文献１】特開平１１−５２８６９号公報
【考案の開示】
【考案が解決しようとする課題】
【０００４】
しかしながら、上記した従来の特許文献１に記載された席札では、行事の主催者側の嗜好により鏡や台座のデザインがなされるため、そのデザインが出席者の嗜好と異なる場合には、出席者が処分に困るといった問題があった。
【０００５】
また、上記した鏡や台座により構成される席札は、嵩張ると共にかなりの重量があるため、出席者が持ち帰り難いといった問題や、材料費やデザイン費が嵩むため、行事に掛かる費用の削減化が図り難いといった問題もあった。
【０００６】
本考案は、上記した課題を解決すべくなされたものであり、出席者が記念や思い出の品として保存可能である共に、出席者が持ち帰り易く、また、行事に掛かる費用の削減化が可能な席札を提供することを目的とするものである。
【課題を解決するための手段】
【０００７】
本考案は、行事の出席者の席が分かるように設置される席札であって、前記行事の主催者に関連したコンテンツを格納した光ディスクと、該光ディスクを収納する光ディスク収納ケースと、表面が外側から視認可能なように前記光ディスク収納ケース内に収納されるジャケットとを備え、該ジャケットの表面には、少なくとも前記行事への出席者の名前が表示されていることを特徴とする。
【０００８】
そして、前記ジャケットの裏面には、前記主催者のプロフィールと、前記主催者からのメッセージと、前記行事のプログラムと、前記行事の間に提供される料理のメニューと、前記行事の間に演奏される楽曲のリストのうちの少なくともいずれか１つが表示されているのが好ましい。
【考案の効果】
【０００９】
本考案によれば、席札として光ディスク、光ディスク収納ケース及びジャケットを利用することにより、出席者が記念や思い出の品として保存可能である共に、出席者が持ち帰り易く、また、行事に掛かる費用の削減化が可能となる。
【考案を実施するための最良の形態】
【００１０】
以下、図面を参照しつつ、本考案の実施の形態に係る席札について説明する。ここで、図１は本考案の実施の形態に係る席札を立て掛けた状態を示す斜視図、図２は同席札を開いた状態を示す斜視図である。なお、以下の説明では、本考案を結婚披露宴の席札として使用した場合について例示して説明する。
【００１１】
本考案の実施の形態に係る席札１は、結婚披露宴の主催者である新郎新婦に関連したコンテンツを格納したＣＤ２と、ＣＤ２を収納するＣＤケース３と、表面が外側から視認可能なようにＣＤケース３内に収納されるＣＤジャケット４とを備えて構成されている。
【００１２】
ＣＤ２は、ＣＤ−ＲやＣＤ−ＲＷなどの記録媒体を含み、その表面に挙式日や新郎新婦の名前が印刷されていてもよい。また、ＣＤに格納されるコンテンツとしては、例えば、新郎新婦のプロフィールスライド、前撮り写真のデータ、出席者へのメッセージ、新郎新婦のオリジナル曲、結婚披露宴で流すＢＧＭ，馴れ初めのビデオなど、新郎新婦が作成したデータを複製したものの他、新郎新婦の要求に合わせて専門家が編集したビデオや写真などであってもよい。
【００１３】
ＣＤケース３は、透明なアクリル樹脂製など、外部から内部が視認可能な材質製であり、左右に開閉可能に形成され、一方側（図２では右側）にＣＤ２が収納され、他方側（図２では左側）にＣＤジャケット４が収納されるようになっている。
【００１４】
ＣＤジャケット４の表面には、少なくとも結婚披露宴の各出席者の名前が印刷されており、その他に挙式日や新郎新婦の名前などが印刷されていてもよい。一方、ＣＤジャケット４の裏面には、新郎新婦それぞれの幼児の頃の写真、生年月日、星座、血液型、職業、性格、趣味、夢などを含むプロフィールが印刷されている。なお、ＣＤジャケット４の裏面には、図３に示すような結婚披露宴において提供される料理のメニューや、図４に示すような新郎新婦からのメッセージや、図５に示すような結婚披露宴において演奏される楽曲のリストや、図６に示すような結婚披露宴のプログラムなどを印刷してもよい。
【００１５】
そして、上記した構成を備えた席札１は、例えば図１に示すように、各出席者の席のテーブルに置かれたプレート５上のナプキン６に支えられるようにして立て掛けられて載置され、さらに、席札１に近接させて新郎新婦からのメッセージカード７が添えられてもよい。なお、この場合、特に図示しないが、台座を利用して席札１をテーブル上に立て掛けるようにする等、席札１の載置方法については各種変更が可能である。
【００１６】
このように上記した本考案の実施の形態に係る席札１によれば、従来の厚紙製の小さな席札と比べて、デザイン性に富み、スタイリッシュで出席者に対して強いインパクトを与えることができる。また、ＣＤ２を利用することにより、新郎新婦からのメッセージや、音楽、写真、動画などのデータを出席者にプレゼントすることができる。
【００１７】
さらに、ＣＤ２には新郎新婦の所望なコンテンツを自由に格納することができるため、二人らしさを演出することができる。さらにまた、ＣＤジャケット４に二人の写真を印刷することにより、より一層オリジナリティが増し、出席者は記念や思い出の品として使用することができる。
【００１８】
さらに、出席者は、自分の名前が入った世界に一つだけの席札１を結婚式の記念品として持ち帰ることができる。また、この席札１は嵩張らず、軽量のため、持ち帰り易く、結婚披露宴の感動を容易に思い出すことができる。
【００１９】
なお、上記した実施の形態では、席札にＣＤを使用しているが、本発明はこの場合に限定されるものではなく、例えば、ＤＶＤ、ＤＶＤ−Ｒ、ＤＶＤ−ＲＷ等、他の光ディスクを使用することもできる。
【００２０】
また、上記した実施の形態では、本発明を結婚披露宴の席札として使用した場合について説明したが、これは単なる例示に過ぎず、本発明に係る席札は、祝賀パーティや各種会合など、結婚披露宴以外の行事にも使用可能であることは言う迄もない。
【図面の簡単な説明】
【００２１】
【図１】本考案の実施の形態に係る席札を立て掛けた状態を示す斜視図である。
【図２】本考案の実施の形態に係る席札を開いた状態を示す斜視図である。
【図３】本考案の実施の形態に係る席札のＣＤジャケットの裏面に結婚披露宴において提供される料理のメニューを記載した例を示す平面図である。
【図４】本考案の実施の形態に係る席札のＣＤジャケットの裏面に新郎新婦からのメッセージを記載した例を示す平面図である。
【図５】本考案の実施の形態に係る席札のＣＤジャケットの裏面に結婚披露宴において演奏される楽曲のリストを記載した例を示す平面図である。
【図６】本考案の実施の形態に係る席札のＣＤジャケットの裏面に結婚披露宴のプログラムを記載した例を示す平面図である。
【符号の説明】
【００２２】
１          席札
２          ＣＤ
３          ＣＤケース
４          ＣＤジャケット
【図１】
0003132943.tif 000003
【図２】
0003132943.tif 000004
【図３】
0003132943.tif 000005
【図４】
0003132943.tif 000006
【図５】
0003132943.tif 000007
【図６】
0003132943.tif 000008
【手続補正書】
【提出日】平成19年4月18日(2007.4.18)
【手続補正１】
【補正対象書類名】図面
【補正対象項目名】図１
【補正方法】変更
【補正の内容】
【図１】
0003132943.tif 000009
【手続補正２】
【補正対象書類名】図面
【補正対象項目名】図２
【補正方法】変更
【補正の内容】
【図２】
0003132943.tif 000010
【手続補正３】
【補正対象書類名】図面
【補正対象項目名】図４
【補正方法】変更
【補正の内容】
【図４】
0003132943.tif 000011
【手続補正４】
【補正対象書類名】図面
【補正対象項目名】図６
【補正方法】変更
【補正の内容】
【図６】
0003132943.tif 000012